(57)【要約】      （修正有）【課題】プリント模様が印刷されやすく、吸水性が高いタオル構造を提供する。【解決手段】タオル構造は、第一生地層１０と、第二生地層２０と、パターン層３０とを含む。該第一生地層１０はパイル面１１を含み、該第二生地層２０は着図面２１を含み、該着図面２１は平坦な布面であって、該第一生地層１０と第二生地層２０は互いに対応して結合される。また該パターン層３０はパターン３１を有し、かつ該着図面２１に結合される。パイル面１１と着図面２１によって、優れた吸水性とプリント模様を印刷しやすい目的を同時に果たせる。【選択図】図４
0003218798.tif 000002
【実用新案登録請求の範囲】
【請求項１】
第一生地層と、第二生地層と、パターン層とを含むタオル構造であって、
前記第一生地層は、パイル面を含み、前記第一生地層はポリアミド繊維またはポリエステル繊維より作られ、
前記第二生地層は、着図面を含み、前記着図面は平坦な布面であって、前記第二生地層はポリアミド繊維またはポリエステル繊維より作られ、前記第一生地層と第二生地層はそれぞれパイル面と着図面の反対端面によって互いに対応して結合され、
前記パターン層は、パターンを有し、かつ前記着図面に結合されることを特徴とするタオル構造。
【請求項２】
前記第一生地層は、２５％のポリアミド繊維と７５％のポリエステル繊維が混合して作られ、前記第二生地層は、ポリエステル繊維より作られることを特徴とする請求項１に記載のタオル構造。
【請求項３】
前記第一生地層と第二生地層は、ミシン方式で一体になる構造に縫い合わせられることを特徴とする請求項２に記載のタオル構造。
【請求項４】
前記パターン層は、塗料または染料によって着図面に必要なパターンが形成されることを特徴とする請求項３に記載のタオル構造。
【請求項５】
前記パターン層は、転写、印刷またはインクジェットなどの技術によって、パターンが着図層に形成されることを特徴とする請求項１から４いずれかに記載のタオル構造。
【考案の詳細な説明】
【技術分野】
【０００１】
本考案はタオル構造に関し、特にプリント模様が印刷されやすく、吸水性が高いタオル構造に関する。
【背景技術】
【０００２】
洗浄の動作を完成した後、例えば入浴後は必ずタオルで体を拭き、体を乾かし、さらに水に濡れた体により風邪を引いてしまうことを防ぐ。また、近年は運動ブームにより、運動中及び運動後は汗だくになりやすいので、体がびしょびしょ、べたべたになるため、とても不愉快になる。この時、吸水性の優れたタオルが重要になる。しかし、従来のタオルのほとんどはシンプルに無地または簡単なパターンがあるだけで、目立たないため、個性をアピールできない。
【０００３】
プリント技術の進歩により、タオルがプリントされる過程において、各種異なるデザインまたは模様のプリントができるようになり、清楚な自然風はもちろん、可愛く魅力的なアニメキャラクターもタオルに異なる雰囲気を持たせるため、タオルはますます人気になり、単純に拭く目的だけではなくなり、個人の独特な風格の表れになる。
【０００４】
タオルはより良い吸水力を持たせるために一般的にパイル層がある。パイル層は良好な吸水性を提供できるが、表面がざらざらのためにプリント模様の形成に適さず、即ち表面に好みのパターンが形成されにくいため、普段は比較的簡単なパターンしかできない。言い換えれば、パイル層の表面がざらざらのために表面に綺麗なパターンが作りにくく、更にはパイル層にあるパイルは使用につれて抜けやすくなるため、元々のパターンが破損され、外観がひどく影響される。また、タオルにきれいなプリントパターンを作りたく、上述問題を避けるため、ある人がパイル生地以外の生地を選んで、いいプリント効果を達成させる。しかし、このような結果として吸水性が低下する問題が発生する。
【０００５】
従って、上述のような従来のタオル構造における欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００６】
本考案が解決しようとする課題は、従来技術に存在する上述の欠点について解決し、タオル構造を提供することである。
【０００７】
（一）従来のタオル構造のパイル生地の表面がざらざらのため、プリント模様を作るのに適さず、一方、非パイル生地の表面は平坦であるが、吸水性が優れない。（二）従来のタオル構造はパイル層に形成されたプリント模様はタオルの使用につれてパイル層のパイルが抜け、パターンが破損されてしまい、外観も影響される。
【課題を解決するための手段】
【０００８】
タオル構造は、第一生地層と、第二生地層と、パターン層とを含む。そして、該第一生地層はパイル面を含み、該第一生地層はポリアミド繊維またはポリエステル繊維より作られる。該第二生地層は着図面を含み、該着図面は平坦な布面であって、該第二生地層はポリアミド繊維またはポリエステル繊維より作られる。該第一生地層と第二生地層はそれぞれパイル面と着図面の反対端面によって互いに対応して結合され、また該パターン層はパターンを有し、かつ該着図面に結合される。上述構造によって、プリント模様を印刷する目的を果たすと同時に優れた吸水性の目的も果たせる。
【０００９】
該第一生地層と第二生地層はミシン方式で一体になる構造に縫い合わせられる。
【００１０】
該パターン層は塗料または染料によって着図面に必要なパターンが形成される。
【００１１】
該パターン層は転写、印刷またはインクジェットなどの技術によって、パターンが着図層に形成される。
【００１２】
該第一生地層は２５％のポリアミド繊維と７５％のポリエステル繊維を混合して作られ、該第二生地層はポリエステル繊維より作られる。
【００１３】
（一）本考案はプリント模様を印刷することに適するタオル構造を提供し、プリント模様を印刷しやすい目的を果たす。
（二）本考案はプリント模様を印刷しやすいように提供すると同時に良好な吸水性の目的も果たせる。
（三）本考案のタオル構造はパイル層のパイルが抜けたことによって、形成されたパターンが破損され、外観が影響される心配はない。
【図面の簡単な説明】
【００１４】
【図１】図１は、本考案に係るタオル構造を示す立体組み合わせ図である。
【図２】図２は、本考案の第一生地層と第二生地層の立体分解図である。
【図３】図３は、本考案の第一生地層と第二生地層の立体組み合わせ図である。
【図４】図４は、本考案のパターン層が形成されることを示す図である。
【考案を実施するための形態】
【００１５】
まず、図１から図４を参照されたい。本考案のタオル構造は、第一生地層１０と、第二生地層２０と、パターン層３０とを含む。該第一生地層１０はパイル面１１を含み、第二生地層２０は着図面２１を含み、該着図面２１は平坦な布面であって、パターン層３０はパターン３１がある塗料層であって、該第一生地層１０、第二生地層２０とパターン層３０は順番に重ねる。
【００１６】
よく詳しく説明すると、該第一生地層１０と第二生地層２０はそれぞれパイル面１１と着図面２１の反対端面によって互いに対応して結合され、その結合方式は本実施例において、ミシン方式で一体になる構造に縫い合わせられる。該パターン層３０は塗料または染料によって着図面２１に必要なパターン３１が形成される。該着図面２１は平坦な端面であるため、その上にプリント模様が形成されるのが適する。言い換えれば、従来構造と比べると、より高い解像度、よりきれいなパターンをプリントするのに適する。本実施例の中、パターン層３０は転写、印刷またはインクジェットなどの技術によって、パターンが第二生地層２０の着図層２１に形成される。これによって、本考案はプリント模様が形成されやすい目的を果たす。さらに、本考案は従来のタオルのようなパイル層にプリント模様が形成されるではないため、パイル面１１のパイルが抜けたことによってプリント模様が破損され、外観が影響される心配はない。
【００１７】
引き続き図２から図４を参照されたい。製作上、先に第一生地層１０と第二生地層２０が互いに結合された後、タオル構造は転写、印刷またはインクジェットしやすい端面が提供されることで、プリント模様がタオルにプリントされやすい。また、本考案の第一生地層１０は吸水性の優れたパイル面１１が提供され、一方、第二生地層２０はプリント模様が付着しやすい着図面２１が提供されるため、本考案のタオル構造はきれいなプリント模様ができる以外、さらに優れた吸水性が提供されるため、タオルはきれいなプリント模様と同時に優れた吸水性の目的が果たせる。
【００１８】
また、本考案のタオル構造は、第一生地層１０と第二生地層２０はポリアミド繊維またはポリエステル繊維より作られる。さらに説明すると、該第一生地層１０は２５％のポリアミド繊維と７５％のポリエステル繊維を混合して作られ、該第二生地層２０はポリエステル繊維より作られ、よりいい効果になる。
【００１９】
上述の具体的な実施例構造により、以下の効果が得られる。（一）タオルにプリント模様が印刷されやすい着図面２１が提供され、きれいなパターンがプリントされやすい目的を果たす。（二）タオル構造はきれいなパターンがプリントされやすいと同時に良好な吸水性の目的も提供され、実用性が大幅に向上される。（三）本考案のタオル構造はパイル面１１のパイルが抜けたことによって形成されたパターンが破損され、外観が影響される心配はない。
【００２０】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２１】
１０              第一生地層
１１              パイル面
２０              第二生地層
２１              着図面
３１              パターン
【図１】
0003218798.tif 000003
【図２】
0003218798.tif 000004
【図３】
0003218798.tif 000005
【図４】
0003218798.tif 000006